(57)【要約】【課題】被取付部品が正規の取付位置から大きくずれていない場合であっても被取付部品の誤取り付けを防止でき、手で簡単に外せる程度の荷重で被取付部品を固定した場合でも輸送等の振動によって被取付部品が外れ落ちてしまうことを防止できる被取付部品の取付構造を得る。【解決手段】ベース面（フランジ部９）に被取付部品（シャッター１６）を取り付ける被取付部品の取付構造であって、被取付部品を覆い、ベース面の法線方向に移動させることにより、ベース面に取り付けられるカバー部材（化粧パネル７）を備え、カバー部材は、被取付部品がベース面の正規の取付位置からずれて配置されている状態において該カバー部材を取り付ける際に、該カバー部材の取り付け過程で被取付部品と接触して、被取付部品を正規の取付位置に誘導する誘導部（リブ７ａ）を備えている。【選択図】図７
2015178935.tif 000002
【特許請求の範囲】
【請求項１】
ベース面に被取付部品を取り付ける被取付部品の取付構造であって、
前記被取付部品を覆い、前記ベース面の法線方向に移動させることにより、前記ベース面に取り付けられるカバー部材を備え、
前記カバー部材は、前記被取付部品が前記ベース面の正規の取付位置からずれて配置されている状態において該カバー部材を取り付ける際に、該カバー部材の取付過程で前記被取付部品と接触して、前記被取付部品を正規の取付位置に誘導する誘導部を備えていることを特徴とする被取付部品の取付構造。
【請求項２】
前記ベース面に、前記被取付部品をガイドするガイド部材が設けられ、
前記被取付部品は、前記ベース面上をスライドさせて正規の取付位置に配置されるものであり、
前記カバー部材は、前記被取付部品と対向する側の面に、前記誘導部として、先端部から基端部に向かって該被取付部品の取付時のスライド方向に傾斜する傾斜面を有するリブを備え、
前記被取付部品が前記ベース面の正規の取付位置からずれて配置されている状態においては、前記カバー部材は、該カバー部材の取付過程において前記リブの前記傾斜面が前記被取付部品と接触して、前記被取付部品をスライドさせて正規の取付位置に誘導する構成であることを特徴とする請求項１に記載の被取付部品の取付構造。
【請求項３】
前記ベース面に形成され、前記被取付部品が正規の取付位置までスライドしたときに当接するストッパと、
前記ベース面及び前記被取付部品のうちの一方に形成された係合部と、
前記ベース面及び前記被取付部品のうちの他方に形成され、前記被取付部品が正規の取付位置に配置された状態で前記係合部と係合し、前記被取付部品をロックする被係合部と、
を備えたことを特徴とする請求項２に記載の被取付部品の取付構造。
【請求項４】
前記リブにおける前記傾斜面の根元に、前記被取付部品が前記ベース面から浮いた状態で配置されている場合に、前記カバー部材の取付過程において前記被取付部品と干渉する段付部が形成されていることを特徴とする請求項２又は請求項３に記載の被取付部品の取付構造。
【請求項５】
前記被取付部品は、該被取付部品の取付時のスライド方向において後方側端部となる位置に、ツマミとなる立ち上がり部が設けられていることを特徴とする請求項２〜請求項４のいずれか一項に記載の被取付部品の取付構造。
【請求項６】
前記ベース面には、引掛爪及び該引掛爪が係合される係合孔のうちの一方が形成され、
前記被取付部品には、前記引掛爪及び前記係合孔のうちの他方が形成され、
前記被取付部品は、前記ベース面の法線方向に移動させて、前記引掛爪と前記係合孔を係合させることにより、前記ベース面の正規の取付位置に配置されるものであり、
前記被取付部品が前記ベース面の正規の取付位置からずれて配置されている状態においては、前記カバー部材は、該カバー部材の取付過程において前記誘導部が前記被取付部品と接触して、前記被取付部品を前記ベース面側に押し付けて正規の取付位置に誘導する構成であることを特徴とする請求項１に記載の被取付部品の取付構造。
【請求項７】
前記カバー部材は、前記被取付部品と対向する側の面に前記誘導部となるリブを備え、
前記被取付部品が前記ベース面の正規の取付位置からずれて配置されている状態においては、前記カバー部材は、該カバー部材の取付過程において前記リブが前記被取付部品と接触して、前記被取付部品を前記ベース面側に押し付けて正規の取付位置に誘導する構成であることを特徴とする請求項６に記載の被取付部品の取付構造。
【請求項８】
前記ベース面は、筒状の風洞の一方の開口部の外周から半径方向に張り出して形成され、
前記被取付部品は、前記開口部を開閉するシャッター、前記風洞に流入する空気から埃を除去するフィルター、あるいは、前記開口部に設けられるオリフィスであることを特徴とする請求項１〜請求項７のいずれか一項に記載の被取付部品の取付構造。
【請求項９】
両端が開口し、送風機の電動機が取り付けられた筒状の風洞と、
前記風洞の前面側の開口部の外周から半径方向に張り出すフランジ部と、
前記フランジ部の前面側に取り付けられた被取付部品と、
前面側から前記被取付部品及び前記フランジ部を覆う化粧パネルと、
を備え、
前記フランジ部をベース面とし、前記化粧パネルをカバー部材として、請求項１〜請求項８のいずれか一項に記載の被取付部品の取付構造が採用されていることを特徴とする換気扇。
【請求項１０】
前記フランジ部の外周端から背面側に向かって突出するフランジ立ち上がり部を備え、
前記化粧パネルは、前記被取付部品、前記フランジ部及び前記フランジ立ち上がり部を覆うように形成され、
前記被取付部品が前記フランジ部からはみ出して配置されている状態においては、前記化粧パネルが取り付けられる前に該化粧パネルと前記被取付部品とが干渉し、前記化粧パネルが取り付けられない構成になっていることを特徴とする請求項９に記載の換気扇。
【請求項１１】
ベース面と、
該ベース面に取り付けられた被取付部品と、
該被取付部品を覆うカバー部材と、
を備え、
請求項１〜請求項８のいずれか一項に記載の被取付部品の取付構造が採用されていることを特徴とする送風機。
【請求項１２】
ベース面と、
該ベース面に取り付けられた被取付部品と、
該被取付部品を覆うカバー部材と、
を備え、
請求項１〜請求項８のいずれか一項に記載の被取付部品の取付構造が採用されていることを特徴とする空気調和機。
【発明の詳細な説明】
【技術分野】
【０００１】
本発明は、被取付部品の取付構造、並びに、この被取付部品の取付構造を採用した換気扇、送風機及び空気調和機に関する。
【背景技術】
【０００２】
従来より、換気扇、送風機及び空気調和機等の装置には、風洞（風路）の開口部を開閉するシャッター、風洞に流入する空気から埃を除去するフィルター、あるいは、風洞（風路）の開口部に設けられるオリフィス等の被取付部品が、ベース面に取り付けられている場合がある。例えば、特許文献１には、風洞の開口部（吸込口）の外周から張り出すフランジ部をベース面として、該フランジ部の前面側（室内側）に被取付部品であるシャッターを取り付けた換気扇が開示されている。特許文献１に開示された換気扇は、シャッターをフランジ部の前面上でスライドさせ、ネジ付けすることなくシャッターを正規の取付位置に取り付けられる構成となっている。この換気扇は、シャッターが正規の取付位置に配置された際にシャッターをロックするロック機構を備えている。また、この換気扇は、シャッターがフランジ部からはみ出した状態で化粧パネルをフランジ部に取り付けようとした際、化粧パネルがシャッターのシャッター枠と干渉し、シャッターの誤取り付けを防止する構成となっている。
【先行技術文献】
【特許文献】
【０００３】
【特許文献１】特開２００６−３４３０４９号公報
【発明の概要】
【発明が解決しようとする課題】
【０００４】
特許文献１に示すように従来の被取付部品の取付構造は、シャッターがフランジ部からはみ出したときのように被取付部品が正規の取付位置から大きくずれている場合に対しては、被取付部品の誤取り付けの防止が考慮されている。しかしながら、従来の被取付部品の取付構造は、シャッターがフランジ部からはみ出していないときのように被取付部品が正規の取付位置から大きくずれていない場合に対しては、被取付部品の誤取り付けの防止が考慮されていない。このため、従来の被取付部品の取付構造は、被取付部品が正規の取付位置から大きくずれていない場合、被取付部品が誤取り付けされてしまうという課題があった。
【０００５】
また、特許文献１に示すように従来の被取付部品の取付構造は、被取付部品が正規の取付位置に配置された際に被取付部品を固定するロック機構を備えているが、エンドユーザーが被取付部品を取り外すことを考慮し、手で簡単に外せる程度の荷重となるロック機構とする必要が有る。このため、従来の被取付部品の取付構造は、例えば輸送等の振動で大きな荷重が掛かった場合、被取付部品が外れ落ちてしまうという課題もあった。
【０００６】
本発明は、上記の課題を解決するためになされたものであって、被取付部品が正規の取付位置から大きくずれていない場合であっても被取付部品の誤取り付けを防止でき、手で簡単に外せる程度の荷重で被取付部品を固定した場合でも輸送等の振動によって被取付部品が外れ落ちてしまうことを防止できる被取付部品の取付構造、並びに、この被取付部品の取付構造を採用した換気扇、送風機及び空気調和機を提供することを目的とする。
【課題を解決するための手段】
【０００７】
本発明に係る被取付部品の取付構造は、ベース面に被取付部品を取り付ける被取付部品の取付構造であって、前記被取付部品を覆い、前記ベース面の法線方向に移動させることにより、前記ベース面に取り付けられるカバー部材を備え、前記カバー部材は、前記被取付部品が前記ベース面の正規の取付位置からずれて配置されている状態において該カバー部材を取り付ける際に、該カバー部材の取付過程で前記被取付部品と接触して、前記被取付部品を正規の取付位置に誘導する誘導部を備えているものである。
【０００８】
また、本発明に係る換気扇は、両端が開口し、送風機の電動機が取り付けられた筒状の風洞と、前記風洞の前面側の開口部の外周から半径方向に張り出すフランジ部と、前記フランジ部の前面側に取り付けられた被取付部品と、前面側から前記被取付部品及び前記フランジ部を覆う化粧パネルと、を備え、前記フランジ部をベース面とし、前記化粧パネルをカバー部材として、本発明に係る被取付部品の取付構造が採用されているものである。
【０００９】
また、本発明に係る送風機及び空気調和機は、ベース面と、該ベース面に取り付けられた被取付部品と、該被取付部品を覆うカバー部材と、を備え、本発明に係る被取付部品の取付構造が採用されているものである。
【発明の効果】
【００１０】
本発明においては、被取付部品がベース面の正規の取付位置からずれて配置されている状態においてカバー部材を取り付ける際、カバー部材の取付過程で、カバー部材の誘導部と被取付部品とが接触して、被取付部品を正規の取付位置に誘導する。このため、本発明は、被取付部品が正規の取付位置から大きくずれていない場合であっても、被取付部品の誤取り付けを防止できる。また、本発明においては、被取付部品が正規の取付位置に配置されてカバー部材が取り付けられると、誘導部とベース面との間で、直接的又は若干の間隔を介して被取付部品を挟み込むこととなる。このため、本発明は、手で簡単に外せる程度の荷重で被取付部品を固定した場合でも、輸送等の振動によって被取付部品が外れ落ちてしまうことを防止できる。
【図面の簡単な説明】
【００１１】
【図１】本発明の実施の形態１に係る換気扇の側面視の断面図である。
【図２】本発明の実施の形態１に係る換気扇の側面視の正面図である。
【図３】本発明の実施の形態１に係る換気扇の側面視の背面図である。
【図４】本発明の実施の形態１に係る換気扇の側面視の断面図であり、化粧パネルが取り付けられる前の状態を示す図である。
【図５】本発明の実施の形態１に係る換気扇のシャッターを示す正面図である。
【図６】本発明の実施の形態１に係る換気扇のシャッターの取付構造を説明するための斜視図である。
【図７】本発明の実施の形態１に係る換気扇における化粧パネルの取付過程を説明するための説明図である。
【図８】本発明の実施の形態１に係る換気扇における化粧パネルの取付過程を説明するための説明図である。
【図９】本発明の実施の形態２に係る換気扇を示す分解斜視図である。
【図１０】本発明の実施の形態２に係る換気扇の化粧パネルに設けられたリブ近傍を示す側面視の断面図である。
【図１１】本発明の実施の形態２に係る換気扇の別の一例を示す側面視の断面図（要部拡大図）である。
【発明を実施するための形態】
【００１２】
実施の形態１．
以下に、本発明に係る被取付部品の取付構造の実施の形態の一例について説明する。また、以下では、本発明に係る感度調節装置の取付構造を換気扇に採用した例について説明する。なお、本実施の形態１及び以下の実施の形態により本発明が限定されるものではない。
【００１３】
図１は、本発明の実施の形態１に係る換気扇の側面視の断面図である。図２は、この換気扇の正面図である。図３は、この換気扇の背面図である。また、図４は、この換気扇の側面視の断面図であり、化粧パネルが取り付けられる前の状態を示す図である。
なお、図１は、図の左側が室内側となっている。以下では、換気扇１００の室内側を正面側又は前面側と称する。
【００１４】
本発明の実施の形態１に係る換気扇１００は、図１に示すように、室内外を連通させ空気の通路となる例えばパイプ１やダクト等の導管に室内側から挿入して装着される。この換気扇１００の本体６は、パイプ１やダクトに挿入する筒状（例えば円筒上）の風洞２（風路）を有する樹脂製の本体フレーム３を備えている。本体６には、プロペラ式の羽根車４と電動機５とで構成される送風機が組付けられている。具体的には、送風機は、本体フレーム３の風洞２の室外側に設けられた電動機取付構造部に取り付けられている。
【００１５】
電動機取付構造部は、図１及び図３に示すように、周方向に間隔をおいて風洞２の中心線方向に沿って後方に延出する四本の脚部１１と、各脚部１１の端部から半径方向内側にそれぞれ延びる橋絡部１２と、これら橋絡部１２によって風洞２の中心部に支持された電動機カバー１３とを備えている。四本の脚部１１は、いずれも風洞２の外周より内側にあり、そのうちの一本の外側に、半径方向への拡開弾力により本体６を導管となるパイプ１内やダクト内に弾性保持する反り付きの板バネ１４が装着されている。この電動機取付構造部に電動機５がその外殻のフランジ部をねじ締めされ、回転軸１５が電動機カバー１３の先から風洞２の中心線上に突き出すようになっている。そして、この電動機５の風洞２内の中心線上に延出する回転軸１５に、羽根車４が風洞２内に配置された状態で装着されている。
【００１６】
また、本体フレーム３は、図１に示すように、風洞２の前部の吸込口となるベルマウス形状の開口部８の口縁部に前面構造部が一体に形成されている。前面構造部は、平面部を有し、開口部８の外周から半径方向に張り出す略正方形（丸形でもよい）のフランジ部９と、フランジ部９の外周端から背面側へ向かって突出するフランジ立ち上がり部１０とを備えている。換気扇１００がパイプ１やダクト等の導管に装着された状態においては、このフランジ立ち上がり部１０は、その端面が室内側の壁面に当接する。なお、フランジ部９の詳細構造については、シャッター１６の取付構造の説明箇所で後述する。
【００１７】
この前面構造部には、フランジ部９の前面側に、開口部８を開閉するシャッター１６が取り付けられている。そして、シャッター１６、フランジ部９及びフランジ立ち上がり部１０は、前面側から覆う化粧パネル７で覆われている。また、図４に示すように、この化粧パネル７は、その背面側（シャッター１６と対向する側）の面に、傾斜面７ａ１を有するリブ７ａが設けられている。このリブ７ａは、フランジ部９の法線方向に化粧パネル７を移動させて該化粧パネルを取り付ける際、その取付過程において傾斜面７ａ１でシャッター１６を押込み、シャッター１６を正規の取付位置に誘導するものである。化粧パネル７は、本体６と爪嵌合により取り付けられる。なお、リブ７ａの詳細構造については、シャッター１６の取付構造の説明箇所で後述する。
ここで、フランジ部９が本発明のベース面に相当し、シャッター１６が本発明の被取付部品に相当し、化粧パネル７が本発明のカバー部材に相当し、リブ７ａが本発明の誘導部に相当する。
【００１８】
また、フランジ部９の背面には、シャッター１６を動作させるための電子回路や用途に合わせたセンサー等が収納されている。そして、電子回路は、接触防止のため、その背面側が絶縁カバー１８で覆われている。また、フランジ部９の背面には、回転式構造で容易に外部電源電線と接続可能な端子台１７が収納されている。
【００１９】
図５は、本発明の実施の形態１に係る換気扇のシャッターを示す正面図である。また、図６は、本発明の実施の形態１に係る換気扇のシャッターの取付構造を説明するための斜視図である。
図５に示すように、シャッター１６は、シャッター枠１９と、複数のシャッターブレード２０とを備えている。シャッター枠１９は、例えば額縁形状をしており、その内周部に複数のシャッターブレード２０が設けられている。これらシャッターブレード２０のそれぞれは長手側の両端部に軸部が形成されており、各シャッターブレード２０の軸部はシャッター枠１９に回転自在に支持されている。ソレノイド等の駆動源によって各シャッターブレード２０を回転させることにより、シャッター１６は、開口部８を開閉する。
【００２０】
図６に示すように、上述のように構成されたシャッター１６は、フランジ部９上を図６の白抜き矢印の方向にスライドさせて、正規の取付位置に取り付けたり（図６の「つける」の方向にスライド）、正規の取付位置から取り外したり（図６の「はずす」の方向にスライド）するものである。詳しくは、フランジ部９の前面側には、複数の鉤状の引掛部９ａが形成されている。これら引掛部９ａはシャッター１６をガイドするガイド部材であり、引掛部９ａにシャッター枠１９の縁１９ｄを引掛けることにより、フランジ部９上をシャッター１６がスライド可能となっている。ここで、本実施の形態１に係る換気扇１００では、シャッター１６をスライドさせる際、シャッター１６に指を引掛けて手で引張りやすくするため、シャッター１６の取付時のスライド方向において後方側端部となる位置に、ツマミとなる立ち上がり部１９ｂが前面側に立設している。この立ち上がり部１９ｂには、化粧パネル７のリブ７ａと接触する箇所に、正面視において凹形状となった凹部１９ｃも形成されている。この凹部１９ｃはリブ７ａの挿入スペースを確保するものである。
【００２１】
また、本実施の形態１に係る換気扇１００は、シャッター１６が正規の取付位置までスライドしたときに当接するストッパを備えている。具体的には、図６に示すように、フランジ部９の前面側には、ストッパとなる段差部９ｄが形成されている。そして、シャッター１６が正規の取付位置までスライドしたとき、シャッター１６のシャッター枠１９の背面側に形成された段差部１９ｅが当該段差部９ｄと当接する構成となっている（後述の図８参照）。このため、本実施の形態１に係る換気扇１００は、シャッター１６を容易に正規の取付位置に配置することができる。
【００２２】
また、本実施の形態１に係る換気扇１００は、シャッター１６が正規の取付位置に配置された状態で該シャッター１６をロック（固定）するロック機構も備えている。具体的には、図６に示すように、フランジ部９の前面側には、係合部となる突起９ｂが形成されている。また、図５に示すように、シャッター１６には、被係合部となる係合穴１９ａが形成されている。そして、シャッター１６が正規の取付位置に配置された状態になると、突起９ｂと係合穴１９ａとが係合し、シャッター１６をロックする構成となっている。シャッター１６をロックするロック機構を備えることにより、化粧パネル７を取り付ける前の状態においても、シャッター１６を正規の取付位置に保持することができる。ここで、エンドユーザーがシャッター１６を容易に取り外すことができるように、本実施の形態１では、ロック機構の荷重を手で簡単に外せる程度の荷重としている。
なお、フランジ部９に被係合部となる係合穴を形成し、シャッター１６に係合部となる凸部を形成しても勿論よい。
【００２３】
本実施の形態１に係る換気扇１００は上記のようなシャッター１６の取付構造を採用しているため、シャッター１６をフランジ部９に取り付けた後に化粧パネル７を取り付ける際、以下のようになる。
【００２４】
図４に示すように、本実施の形態１に係る換気扇１００は、フランジ部９の法線方向に化粧パネル７を移動させ、シャッター１６、フランジ部９及びフランジ立ち上がり部１０を覆うように取り付けられる。このとき、シャッター１６の位置が正規の取付位置から大きくずれている場合、本実施の形態１に係る換気扇１００においては、シャッター１６の取付時のスライド方向において後方側端部となる位置に設けられた立ち上がり部１９ｂが、フランジ部９からはみ出した状態となる。このため、化粧パネルの取付過程（取り付ける途中）において、化粧パネル７の周縁部（化粧パネル７取付後の状態において、フランジ立ち上がり部１０と対向する部分）がシャッター１６の立ち上がり部１９ｂと干渉し、化粧パネル７を取り付けることができない。このため、シャッター１６の誤取り付けを防止できる。
【００２５】
また、シャッター１６が正規の取付位置から大きくずれていない場合、つまり、シャッター１６がフランジ部９からはみ出していない場合、本実施の形態１に係る換気扇１００は次のようになる。
【００２６】
図７及び図８は、本発明の実施の形態１に係る換気扇における化粧パネルの取付過程を説明するための説明図である。この図７及び図８は、図４における化粧パネル７のリブ７ａ近傍を示すものである。
シャッター１６がフランジ部９からはみ出していない場合、化粧パネルの取付過程において、化粧パネル７の周縁部はシャッター１６の立ち上がり部１９ｂと干渉せず、化粧パネル７のリブ７ａが凹部１９ｃ内に侵入し、当該リブ７ａの傾斜面７ａ１が立ち上がり部１９ｂと干渉することとなる（図７）。ここで、傾斜面７ａ１は、先端部から基端部に向かってシャッター１６の取付時のスライド方向に傾斜している。このため、化粧パネル７を取り付けて行くにつれて、シャッター１６は傾斜面７ａ１に押されてスライドし、正規の取付位置の方に誘導されていく。そして、化粧パネル７が取り付けられた頃には、シャッター１６を正規の取付位置に配置することができる（図８）。このため、シャッター１６の誤取り付けを防止できる。
【００２７】
また、化粧パネル７が取り付けられた後の状態においては、化粧パネル７のリブ７ａの傾斜面７ａ１とフランジ部９との間でシャッター１６が直接的に挟み込まれることとなる。本実施の形態１の場合、フランジ部９にストッパとなる段差部９ｄを備えているので、当該段差部９ｄとリブ７ａの傾斜面７ａ１との間でシャッター１６を直接的に挟み込むこととなる。なお、シャッター１６の正規の取付位置に若干の誤差があってもよい場合（正規の取付位置においてシャッター１６に若干のがたつきがあってもよい場合）、当該段差部９ｄ及びリブ７ａの傾斜面７ａ１とシャッター１６との間に若干の間隔が空いていてもよい。つまり、当該段差部９ｄとリブ７ａの傾斜面７ａ１との間で、若干の間隔を介してシャッター１６を挟み込んでもよい。
段差部９ｄと化粧パネル７のリブ７ａの傾斜面７ａ１との間でシャッター１６を挟み込むことにより、手で簡単に外せる程度の荷重でシャッター１６を固定した場合でも、輸送等の振動によってシャッター１６が外れ落ちてしまうことを防止できる。
【００２８】
ここで、本実施の形態１に係る換気扇１００には、図７及び図８に示すように、化粧パネル７のリブ７ａにおける傾斜面７ａ１の根元７ｂに、段付部７ｃが形成されている。この段付部７ｃは、シャッター１６がフランジ部９から浮いた状態で配置されている場合、化粧パネル７の取付過程においてシャッター１６と干渉する。このため、化粧パネル７も浮いた状態となり、取り付けることができない。このため、シャッター１６がフランジ部９から浮いた状態で配置されている場合にも、シャッター１６の誤取り付けを防止できる。
【００２９】
以上、本実施の形態１のように構成された換気扇１００においては、シャッター１６がフランジ部９の正規の取付位置からずれて配置されている状態において化粧パネル７を取り付ける際、化粧パネル７の取付過程で、化粧パネル７のリブ７ａの傾斜面７ａ１とシャッター１６の立ち上がり部１９ｂとが接触して、シャッター１６を正規の取付位置に誘導する。このため、本実施の形態１のように構成された換気扇１００においては、シャッター１６が正規の取付位置から大きくずれていない場合であっても、シャッター１６の誤取り付けを防止できる。また、本実施の形態１のように構成された換気扇１００においては、シャッター１６が正規の取付位置に配置されて化粧パネル７が取り付けられると、化粧パネル７のリブ７ａの傾斜面７ａ１とフランジ部９との間で、直接的又は若干の間隔を介してシャッター１６を挟み込むこととなる。このため、本実施の形態１のように構成された換気扇１００においては、手で簡単に外せる程度の荷重でシャッター１６を固定した場合でも、輸送等の振動によってシャッター１６が外れ落ちてしまうことを防止できる。
ここで、化粧パネル７も手で外せる程度の荷重で固定されることとなるため、輸送時の振動によって化粧パネル７が外れ、結果としてシャッター１６が外れてしまうように思われるかもしれない。しかしながら、換気扇１００の輸送時、換気扇１００は梱包されて輸送されるため、化粧パネル７が外れることはない。つまり、従来の被取付部品の取付構造をシャッターの固定に採用した換気扇は、輸送時、化粧パネルの中でシャッターが外れてしまうという課題を有していたということである。化粧パネルの中でシャッターが外れてしまうと、樹脂部品を破損させてしまう場合がある。また、開梱して換気扇を取り付ける際に化粧パネルを外すと、シャッターが落下してしまう場合がある。
【００３０】
なお、本実施の形態１では、シャッター１６の立ち上がり部１９ｂに化粧パネル７のリブ７ａの傾斜面７ａ１が接触する構成とした。しかしながら、化粧パネル７のリブ７ａの傾斜面７ａ１が接触するシャッター１６の位置は任意である。傾斜面７ａ１が先端部から基端部に向かってシャッター１６の取付時のスライド方向に傾斜している構成となっていれば、化粧パネル７の取付過程において、シャッター１６を正規の取付位置に誘導することができる。
【００３１】
実施の形態２．
本発明に係るシャッターの取付構造は、以下に示すように、シャッターをフランジ部９上でスライドさせるシャッター１６以外の場合でも実施することができる。なお、本実施の形態２で記載されていない構成は実施の形態１と同様とする。
【００３２】
図９は、本発明の実施の形態２に係る換気扇を示す分解斜視図である。また、図１０は、この換気扇の化粧パネルに設けられたリブ近傍を示す側面視の断面図である。
本実施の形態２に係る換気扇１００は、フランジ部９の法線方向にシャッター３０を移動させ、該シャッター３０をフランジ部９の前面側に取り付ける構成となっている。詳しくは、シャッター３０には、例えばシャッター枠３１の外周面に、引掛爪３０ａが形成されている。また、フランジ部９には、引掛爪３０ａが係合される係合孔９ｃが形成されている。そして、シャッター３０をフランジ部９の法線方向に移動させて、引掛爪３０ａと係合孔９ｃを係合させることにより、シャッター３０はフランジ部９の正規の取付位置に配置されて固定される。なお、フランジ部９に引掛爪を形成し、シャッター３０に係合孔を形成してもよい。
【００３３】
また、図１０に示すように、本実施の形態２に係る化粧パネル７は、シャッター３０と対向する側の面（例えば、引掛爪３０ａと対向する位置）に、本発明の誘導部に相当するリブ７ｄを備えている。
【００３４】
このように構成された換気扇１００においては、シャッター３０がフランジ部９の正規の取付位置からずれて配置されている場合、つまり、シャッター３０がフランジ部９から浮いた状態で配置されている場合、化粧パネル７の取付過程でリブ７ｄがシャッター３０（例えば引掛爪３０ａ）と接触して、シャッター３０をフランジ部９に押し付けて正規の取付位置に誘導することができる。このため、シャッター３０の誤取り付けを防止できる。
【００３５】
また、化粧パネル７が取り付けられた後の状態においては、化粧パネル７のリブ７ｄとフランジ部９との間で、直接的又は若干の間隔を介してシャッター３０を挟み込むこととなる。このため、シャッター３０がフランジ部９の法線方向（つまりシャッター３０の取付方向）に動くことを規制できるので、輸送等の振動によってシャッター３０が外れ落ちてしまうことも防止できる。
【００３６】
なお、本実施の形態２では、本発明の誘導部として化粧パネル７にリブ７ｄを設けたが、図１０に示すように、化粧パネル７そのもの（詳しくは、シャッター３０と対向する側の面）を本発明の誘導部としてもよい。このように換気扇１００を構成しても、シャッター３０がフランジ部９の正規の取付位置からずれて配置されている場合、つまり、シャッター３０がフランジ部９から浮いた状態で配置されている場合、化粧パネル７の取付過程で化粧パネル７がシャッター３０と接触して、シャッター３０をフランジ部９に押し付けて正規の取付位置に誘導することができる。このため、シャッター３０の誤取り付けを防止できる。また、化粧パネル７が取り付けられた後の状態においては、化粧パネル７とフランジ部９との間で、直接的又は若干の間隔を介してシャッター３０を挟み込むこととなるので、輸送等の振動によってシャッター３０が外れ落ちてしまうことも防止できる。
【産業上の利用可能性】
【００３７】
上記の実施の形態では、本発明に係る被取付部品としてシャッター１６，３０を用いた例について説明したが、本発明に係る被取付部品はシャッター１６，３０に限定されるものではない。例えば、風洞２に流入する空気から埃を除去するフィルター、あるいは、開口部８に設けられるオリフィスをフランジ部に設け、これらを本発明に係る被取付部品としてもよい。上記の実施の形態で説明した効果と同様の効果を得ることができる。
【００３８】
また、上記の実施の形態では、本発明に係る被取付部品の取付構造を換気扇に採用した例について説明した。これに限らず、本発明に係る被取付部品の取付構造を、その他の送風機及び空気調和機に採用しても勿論よい。つまり、ベース面と、該ベース面に取り付けられた被取付部品と、該被取付部品を覆うカバー部材と、を備えた送風機及び空気調和機において、本発明に係る被取付部品の取付構造を採用しても勿論よい。また、本発明に係る被取付部品の取付構造を、換気扇、送風機及び空気調和機に関するシステム部材（換気扇、送風機及び空気調和機の一部を構成するユニット）に採用しても勿論よい。上記の実施の形態で説明した効果と同様の効果を得ることができる。
【符号の説明】
【００３９】
１  パイプ、２  風洞、３  本体フレーム、４  羽根車、５  電動機、６  本体、７  化粧パネル、７ａ  リブ、７ａ１  傾斜面、７ｂ  根元、７ｃ  段付部、７ｄ  リブ、８  開口部、９  フランジ部、９ａ  引掛部、９ｂ  突起、９ｃ  係合孔、９ｄ  段差部、１０  フランジ立ち上がり部、１１  脚部、１２  橋絡部、１３  電動機カバー、１４  板バネ、１５  回転軸、１６  シャッター、１７  端子台、１８  絶縁カバー、１９  シャッター枠、１９ａ  係合穴、１９ｂ  立ち上がり部、１９ｃ  凹部、１９ｄ  縁、１９ｅ  段差部、２０  シャッターブレード、３０  シャッター、３０ａ  引掛爪、３１  シャッター枠、１００  換気扇。
【図１】
2015178935.tif 000003
【図２】
2015178935.tif 000004
【図３】
2015178935.tif 000005
【図４】
2015178935.tif 000006
【図５】
2015178935.tif 000007
【図６】
2015178935.tif 000008
【図７】
2015178935.tif 000009
【図８】
2015178935.tif 000010
【図９】
2015178935.tif 000011
【図１０】
2015178935.tif 000012
【図１１】
2015178935.tif 000013